(57)【特許請求の範囲】
【請求項１】
撮影装置の機種毎に固有の、撮影された映像を補正するための補正情報を管理する第１の情報処理装置、前記映像に前記補正情報を多重化して放送する第２の情報処理装置、および前記放送を受信する第３の情報処理装置から構成されるサービス提供システムにおいて、
前記第１の情報処理装置は、
前記撮影装置の個々を識別するための識別情報、および、前記補正情報により前記映像を補正することを許可するための鍵情報を発行する発行手段と、
前記補正情報、並びに、前記発行手段により発行された前記識別情報および前記鍵情報を対応付けて記憶する第１の記憶手段と、
前記第１の記憶手段により前記識別情報と対応付けられて記憶されている前記補正情報、および前記鍵情報を、前記第２の情報処理装置に送信する送信手段と
を備え、
前記第２の情報処理装置は、
前記第１の情報処理装置より送信されてくる、前記識別情報と対応付けられた前記補正情報および前記鍵情報を受信する第１の受信手段と、
前記識別情報で特定される前記撮影装置により撮影された前記映像に、前記第１の受信手段に受信された前記補正情報および前記鍵情報を多重化して放送する放送手段と
を備え、
前記第３の情報処理装置は、
前記鍵情報を予め記憶している第２の記憶手段と、
前記第２の情報処理装置が放送する前記映像を受信する第２の受信手段と、
前記第２の受信手段により受信された前記映像に多重化されている前記鍵情報と、前記第２の記憶手段に記憶されている前記鍵情報とを比較する比較手段と、
前記比較手段の比較の結果が一致するという結果である場合、前記第２の受信手段により受信された前記映像に多重化されている前記補正情報により、前記映像を補正する補正手段と
を備えることを特徴とするサービス提供システム。
【請求項２】
撮影装置の機種毎に固有の、撮影された映像を補正するための補正情報を管理する情報処理装置、前記映像に前記補正情報を多重化して放送する放送装置、および前記放送を受信する受信装置から構成されるサービス提供システムのうちの、前記情報処理装置であって、
前記撮影装置の個々を識別するための識別情報、および、前記補正情報により前記映像を補正することを前記受信装置に対して許可するための鍵情報を発行する発行手段と、
前記補正情報、並びに、前記発行手段により発行された前記識別情報および前記鍵情報を対応付けて記憶する記憶手段と、
前記記憶手段により前記識別情報と対応付けられて記憶されている前記補正情報および前記鍵情報を、前記放送装置に送信する送信手段と
を備えることを特徴とする情報処理装置。
【請求項３】
前記放送装置より、前記識別情報と対応付けられた補正情報の送信の要求を受信する受信手段をさらに備え、
前記送信手段は、前記受信手段により前記補正情報の送信の前記要求を受信した場合、前記放送装置に、前記補正情報および前記鍵情報を送信する
ことを特徴とする請求項２に記載の情報処理装置。
【請求項４】
撮影装置の機種毎に固有の、撮影された映像を補正するための補正情報を管理する情報処理装置、前記映像に前記補正情報を多重化して放送する放送装置、および前記放送を受信する受信装置から構成されるサービス提供システムのうちの、前記情報処理装置の情報処理方法であって、
前記撮影装置の個々を識別するための識別情報、および、前記補正情報により前記映像を補正することを前記受信装置に対して許可するための鍵情報を発行する発行ステップと、
前記補正情報、並びに、前記発行ステップの処理により発行された前記識別情報および前記鍵情報を対応付けて記憶することを制御する記憶制御ステップと、
前記記憶制御ステップの処理により前記識別情報と対応付けられて記憶が制御されている前記補正情報および前記鍵情報を、前記放送装置に送信することを制御する送信制御ステップと
を含むことを特徴とする情報処理方法。
【請求項５】
撮影装置の機種毎に固有の、撮影された映像を補正するための補正情報を管理する情報処理装置、前記映像に前記補正情報を多重化して放送する放送装置、および前記放送を受信する受信装置から構成されるサービス提供システムのうちの、前記情報処理装置を制御するコンピュータが読み取り可能なプログラムであって、
前記撮影装置の個々を識別するための識別情報、および、前記補正情報により前記映像を補正することを前記受信装置に対して許可するための鍵情報を発行する発行ステップと、
前記補正情報、並びに、前記発行ステップの処理により発行された前記識別情報および前記鍵情報を対応付けて記憶することを制御する記憶制御ステップと、
前記記憶制御ステップの処理により前記識別情報と対応付けられて記憶が制御されている前記補正情報および前記鍵情報を、前記放送装置に送信することを制御する送信制御ステップと
を含むことを特徴とするプログラムが記録されている記録媒体。
【請求項６】
撮影装置の機種毎に固有の、撮影された映像を補正するための補正情報を管理する情報処理装置、前記映像に前記補正情報を多重化して放送する放送装置、および前記放送を受信する受信装置から構成されるサービス提供システムのうちの、前記情報処理装置を制御するコンピュータに、
前記撮影装置の個々を識別するための識別情報、および、前記補正情報により前記映像を補正することを前記受信装置に対して許可するための鍵情報を発行する発行ステップと、
前記補正情報、並びに、前記発行ステップの処理により発行された前記識別情報および前記鍵情報を対応付けて記憶することを制御する記憶制御ステップと、
前記記憶制御ステップの処理により前記識別情報と対応付けられて記憶が制御されている前記補正情報および前記鍵情報を、前記放送装置に送信することを制御する送信制御ステップと
を含む制御処理を実行させるプログラム。
【請求項７】
撮影装置の機種毎に固有の、撮影された映像を補正するための補正情報を管理する管理装置、前記映像に前記補正情報を多重化して放送する情報処理装置、および前記放送を受信する受信装置から構成されるサービス提供システムのうちの、前記情報処理装置であって、
前記撮影装置の個々を識別するための識別情報と対応付けられた、前記補正情報と、前記補正情報により前記映像を補正することを前記受信装置に対して許可するための鍵情報とが、前記管理装置から送信されてきた場合、それらの情報を受信する受信手段と、
前記識別情報で特定される前記撮影装置により撮影された前記映像に、前記受信手段に受信された前記補正情報および前記鍵情報を多重化して放送する放送手段と
を備えることを特徴とする情報処理装置。
【請求項８】
撮影装置の機種毎に固有の、撮影された映像を補正するための補正情報を管理する管理装置、前記映像に前記補正情報を多重化して放送する放送装置、および前記放送を受信する情報処理装置から構成されるサービス提供システムのうちの、前記情報処理装置であって、
前記鍵情報を予め記憶している記憶手段と、
前記撮影装置の個々を識別するための識別情報と対応付けられた、前記補正情報と、前記補正情報により前記映像を補正することを前記情報処理装置に対して許可するための鍵情報とが、前記管理装置から送信されて前記放送装置に受信され、前記識別情報で特定される前記撮影装置により撮影された前記映像に、受信された前記補正情報および前記鍵情報が多重化されて前記放送装置により放送された場合、その放送を受信する受信手段と、
前記受信手段により受信された前記映像に多重化されている前記鍵情報と、前記記憶手段に記憶されている前記鍵情報とを比較する比較手段と、
前記比較手段の比較の結果が一致するという結果である場合、前記受信手段により受信された前記映像に多重化されている前記補正情報により、前記映像を補正する補正手段と
を備えることを特徴とする情報処理装置。
【発明の詳細な説明】
【０００１】
【発明の属する技術分野】
本発明は、サービス提供システム、情報処理装置および方法、記録媒体、並びにプログラムに関し、特に、映像をより忠実に再現することができるようにしたサービス提供システム、情報処理装置および方法、記録媒体、並びにプログラムに関する。
【０００２】
【従来の技術】
従来の放送局などで、映像データおよび音声データのオーサリングを行う場合、オーサリングを行う編集者は、撮影に利用した撮影装置などの業務用機材などの特性を、例えば、今までの経験や、以前にその機材を使用していた人から聞くことにより把握し、その機材の特性に見合った編集を行っていた。
【０００３】
【発明が解決しようとする課題】
しかしながら、従来のような方法により機材の特性を把握する場合、自らがその機材の利用経験が豊富であるか、周囲にその機材の利用経験の豊富な人がいる必要があり、機材の特性を知ることが困難であるという課題があった。
【０００４】
また、自らの経験、および周囲の経験者から聞いた機材の特性は、必ずしも、正確な情報であるとはいえなかった。
【０００５】
さらに、撮影装置などの機材の機種毎に、機材の正確な特性データにより、撮影された映像などを補正することは、今までなされてこなかった。
【０００６】
本発明は、このような状況に鑑みてなされたものであり、映像をより忠実に再現することができるようにすることを目的とする。
【０００７】
【課題を解決するための手段】
本発明のサービス提供システムは、撮影装置の機種毎に固有の、撮影された映像を補正するための補正情報を管理する第１の情報処理装置、映像に補正情報を多重化して放送する第２の情報処理装置、および放送を受信する第３の情報処理装置から構成されるサービス提供システムであって、第１の情報処理装置は、撮影装置の個々を識別するための識別情報、および、補正情報により映像を補正することを許可するための鍵情報を発行する発行手段と、補正情報、並びに、発行手段により発行された識別情報および鍵情報を対応付けて記憶する第１の記憶手段と、第１の記憶手段により前記識別情報と対応付けられて記憶されている補正情報および鍵情報を、第２の情報処理装置に送信する送信手段とを備え、第２の情報処理装置は、第１の情報処理装置より送信されてくる、前記識別情報と対応付けられた補正情報および鍵情報を受信する第１の受信手段と、識別情報で特定される撮影装置により撮影された映像に、第１の受信手段に受信された補正情報および鍵情報を多重化して放送する放送手段とを備え、第３の情報処理装置は、鍵情報を予め記憶している第２の記憶手段と、第２の情報処理装置が放送する映像を受信する第２の受信手段と、第２の受信手段により受信された映像に多重化されている鍵情報と、第２の記憶手段に記憶されている鍵情報とを比較する比較手段と、比較手段の比較の結果が一致するという結果である場合、第２の受信手段により受信された映像に多重化されている補正情報により、映像を補正する補正手段とを備えることを特徴とする。
【０００８】
本発明の第１の情報処理装置は、撮影装置の機種毎に固有の、撮影された映像を補正するための補正情報を管理する情報処理装置、映像に補正情報を多重化して放送する放送装置、および放送を受信する受信装置から構成されるサービス提供システムのうちの、情報処理装置であって、撮影装置の個々を識別するための識別情報、および、補正情報により映像を補正することを受信装置に対して許可するための鍵情報を発行する発行手段と、補正情報、並びに、発行手段により発行された識別情報および鍵情報を対応付けて記憶する記憶手段と、記憶手段により識別情報と対応付けられて記憶されている補正情報および鍵情報を、放送装置に送信する送信手段とを備えることを特徴とする。
【００１４】
放送装置より、識別情報と対応付けられた補正情報の送信の要求を受信する受信手段をさらに設けるようにし、送信手段は、受信手段により補正情報の送信の要求を受信した場合、放送装置に、補正情報および鍵情報を送信するようにさせることができる。
【００１５】
本発明の第１の情報処理方法、第１の記録媒体、および、第１のプログラムは、上述した本発明の第１の情報処理装置に対応する方法、記録媒体、およびプログラムである。
【００１８】
本発明の第２の情報処理装置は、撮影装置の機種毎に固有の、撮影された映像を補正するための補正情報を管理する管理装置、映像に補正情報を多重化して放送する情報処理装置、および放送を受信する受信装置から構成されるサービス提供システムのうちの、情報処理装置であって、撮影装置の個々を識別するための識別情報と対応付けられた、補正情報と、その補正情報により映像を補正することを受信装置に対して許可するための鍵情報とが、管理装置から送信されてきた場合、それらの情報を受信する受信手段と、識別情報で特定される撮影装置により撮影された映像に、受信手段に受信された補正情報および鍵情報を多重化して放送する放送手段とを備えることを特徴とする。
【００３０】
本発明の第３の情報処理装置は、撮影装置の機種毎に固有の、撮影された映像を補正するための補正情報を管理する管理装置、映像に補正情報を多重化して放送する放送装置、および放送を受信する情報処理装置から構成されるサービス提供システムのうちの、情報処理装置であって、鍵情報を予め記憶している記憶手段と、撮影装置の個々を識別するための識別情報と対応付けられた、補正情報と、その補正情報により映像を補正することを情報処理装置に対して許可するための鍵情報とが、管理装置から送信されて放送装置に受信され、識別情報で特定される撮影装置により撮影された映像に、受信された補正情報および鍵情報が多重化されて放送装置により放送された場合、その放送を受信する受信手段と、受信手段により受信された映像に多重化されている鍵情報と、記憶手段に記憶されている鍵情報とを比較する比較手段と、比較手段の比較の結果が一致するという結果である場合、受信手段により受信された映像に多重化されている補正情報により、映像を補正する補正手段とを備えることを特徴とする。
【００６４】
本発明のサービス提供システムにおいては、撮影装置の機種毎に固有の、撮影された映像を補正するための補正情報を管理する第１の情報処理装置、映像に補正情報を多重化して放送する第２の情報処理装置、および放送を受信する第３の情報処理装置によって、次のような処理が実行される。即ち、第１の情報処理装置では、撮影装置の個々を識別するための識別情報、および、補正情報により映像を補正することを許可するための鍵情報が発行され、補正情報、並びに、発行された識別情報および鍵情報が対応付けられて記憶され、識別情報と対応付けられて記憶されている補正情報および鍵情報が、第２の情報処理装置に送信される。第２の情報処理装置では、第１の情報処理装置より送信されてくる、識別情報と対応付けられた補正情報および鍵情報が受信され、識別情報で特定される撮影装置により撮影された映像に、受信された補正情報および鍵情報が多重化されて放送される。第３の情報処理装置では、受信された映像に多重化されている鍵情報と、自身に予め記憶されている鍵情報とが比較され、その比較の結果が一致するという結果である場合、受信された映像に多重化されている補正情報により、映像が補正される。
【００６５】
本発明の第１の情報処理装置および方法、記録媒体、並びにプログラムにおいては、撮影装置の機種毎に固有の、撮影された映像を補正するための補正情報を管理する第１の情報処理装置、前記映像に前記補正情報を多重化して放送する放送装置、および前記放送を受信する受信装置から構成されるサービス提供システムのうちの、第１の情報処理装置によって、次のような処理が実行される。即ち、撮影装置の個々を識別するための識別情報、および、補正情報により映像を補正することを受信装置に対して許可するための鍵情報が発行され、補正情報、並びに、発行された識別情報および鍵情報が対応付けられて記憶され、識別情報と対応付けられて記憶されている補正情報および鍵情報が、放送装置に送信される。
【００６６】
本発明の第２の情報処理装置においては、撮影装置の機種毎に固有の、撮影された映像を補正するための補正情報を管理する管理装置、映像に補正情報を多重化して放送する第２の情報処理装置、および放送を受信する受信装置から構成されるサービス提供システムのうちの、第２の情報処理装置によって次のような処理が実行される。即ち、撮影装置の個々を識別するための識別情報と対応付けられた、補正情報と、その補正情報により映像を補正することを受信装置に対して許可するための鍵情報とが、管理装置から送信されてきた場合、それらの情報が受信され、識別情報で特定される撮影装置により撮影された映像に、受信された補正情報および鍵情報が多重化されて放送される。
【００６７】
本発明の第３の情報処理装置においては、撮影装置の機種毎に固有の、撮影された映像を補正するための補正情報を管理する管理装置、映像に補正情報を多重化して放送する放送装置、および放送を受信する第３の情報処理装置から構成されるサービス提供システムのうちの、第３の情報処理装置によって、次のような処理が実行される。即ち、撮影装置の個々を識別するための識別情報と対応付けられた、補正情報と、その補正情報により映像を補正することを第３の情報処理装置に対して許可するための鍵情報とが、管理装置から送信されて放送装置に受信され、識別情報で特定される撮影装置により撮影された映像に、受信された補正情報および鍵情報が多重化されて放送装置により放送された場合、その放送が第３の情報処理装置に受信される。すると、受信された映像に多重化されている鍵情報と、第３の情報処理装置に予め記憶されている鍵情報とが比較され、その比較の結果が一致するという結果である場合、受信された映像に多重化されている補正情報により、映像が補正される。
【００７６】
【発明の実施の形態】
図１は、本発明を適用したサービス提供システムの構成例を表している。このサービス提供システムにおいては、インターネットなどのネットワーク１０に対して、金融サーバ１６、カメラVTRメーカ１１のカメラVTRメーカサーバ３３、およびハードウェアデータセンタサーバ３５、セットトップボックス（以下、STBと省略して記す）メーカ１２のSTBメーカサーバ５１、および放送局１３の放送局サーバ６１が接続されている。
【００７７】
カメラVTRメーカ１１は、全方位カメラ３１−１、およびVTR(Videotape Recorder)３２−１を製造し、放送局１３などに販売している。カメラVTRメーカ１１内のカメラVTRメーカサーバ３３は、製造された全方位カメラ３１−１、またはVTR３２−１内の、所定の記録媒体に、製品の種類、および製品の個々を識別するための機器IDを記録する。また、カメラVTRメーカサーバ３３は、製品の種類に対応するメタデータ(詳細は後述する)を取得し、ハードウェアデータセンタサーバ(以下、HDCサーバと省略して記す)に、機器IDとメタデータを対応付けて記憶するように要求する。
【００７８】
カメラVTRメーカ１１内のHDCサーバ３５は、カメラVTRメーカサーバ３３より受信した機器ID、メタデータ、および自らが発行した認証キーを対応付けて記憶、管理する。また、HDCサーバ３５は、STBメーカサーバ５１から、認証キーの要求を受信した場合、認証キーを供給する。また、HDCサーバ３５は、放送局サーバ６１から、メタデータの要求を受信した場合、メタデータおよび認証キーを供給する。
【００７９】
STBメーカ１２は、STB５２−１を製造し、ユーザ１５に販売する。STBメーカ１２内のSTBメーカサーバ５１は、HDCサーバ３５より認証キーを取得し、製造するSTB５２−１内の所定の記録媒体に記録する。また、STBメーカサーバ５１は、金融サーバ１６に、アクセスして、所定の口座への代金の支払処理を実行する。
【００８０】
放送局１３は、カメラVTRメーカ１１から全方位カメラ３１−２、およびVTR３２−２を購入し、全方位カメラ３１−２、およびVTR３２−２を利用して、全方位映像を撮影および記録する。また、放送局１３は、記録した全方位映像に、メタデータを多重化して、送出装置６２から、例えば衛星放送により放送する。
【００８１】
放送局１３内の放送局サーバ６１は、HDCサーバ３５よりメタデータおよび認証キーを取得し、所定のタイミングで、取得したメタデータおよび認証キーを、送出装置６２に供給する。また、放送局サーバ６１は、金融サーバ１６にアクセスして、所定の口座への代金の支払処理を実行する。
【００８２】
金融サーバ１６は、銀行およびクレジットカード会社などに設置されたサーバであり、ネットワーク１０を介した他のサーバからの要求に従って、代金の所定の口座への支払処理(所定の口座からの引き落とし処理)を実行する。
【００８３】
ユーザ１５により購入されたSTB５２−２は、放送局１３の送出装置６２より送信された放送の電波を受信し、放送のデータ(以下、放送データと称する)に含まれている認証キーと、自らで保有している認証キーを比較することにより、受信した放送データに含まれている映像データが補正可能か否かを判定する。映像データが補正可能である場合、STB５２−２は、放送データに含まれている映像データを、放送データに多重化されているメタデータにより、映像データを補正して、テレビジョン受像機１４に出力し、表示させる。
【００８４】
なお、以下の説明においては、全方位カメラ３１−１および全方位カメラ３１−２のそれぞれを個々に区別する必要がない場合、まとめて全方位カメラ３１と称する。以下の説明においては、それ以外の装置も同様である。
【００８５】
次に、図２を参照しつつ、本発明のサービス提供システムにおけるサービス提供処理の概要について説明する。
【００８６】
図２のステップＳ２１において、カメラVTRメーカサーバ３３は、カメラVTRメーカ１１で製造された全方位カメラ３１−１およびVTR３２−１内の記録媒体に、機器IDを記録するとともに、全方位カメラ３１−１およびVTR３２−１を使用して撮影および記録された映像を再生する際に、より鮮明に再生することができるように、映像を補正するためのデータであるメタデータを、例えば、全方位カメラ３１の製造者から入力され、これらの機器IDおよびメタデータを対応付けて記憶するように、HDCサーバ３５に要求する。HDCサーバ３５は、カメラVTRメーカサーバ３３からの要求に従って、受信した機器IDとメタデータを対応付けて記憶する。また、HDCサーバ３５は、認証キーを発行し、機器IDおよびメタデータと対応付けて記憶する。
【００８７】
図２のステップＳ２２において、カメラVTRメーカ１１は、放送局１３に、所望する全方位カメラ３１およびVTR３２を納品する。ステップＳ２３において、放送局１３は、カメラVTRメーカ１１に対して、全方位カメラ３１およびVTR３２の代金を支払う。
【００８８】
ステップＳ２４において、HDCサーバ３５は、STBメーカサーバ５１からの要求に従って、記憶している認証キーを送信する。STBメーカサーバ５１は、受信した認証キーを記憶するとともに、ステップＳ２５において、金融サーバ１６にアクセスし、認証キーを提供された見返りとして、カメラVTRメーカサーバ１１の口座に、所定の代金の振り込み処理を実行する。
【００８９】
そして、STBメーカサーバ５１は、STBメーカ１２で製造されるSTB５２−１内の所定の記録媒体に、取得した認証キーを記録する。
【００９０】
STBメーカ１２は、ステップＳ２６において、認証キーが記録されたSTB５２−１を、ユーザ１５に販売し、ユーザ１５は、ステップＳ２７において、STB５２−１の代金をSTBメーカ１２に支払う。なお、STB５２は、実際には、任意の流通経路を経て、例えば、電化製品の販売店などで販売される。
【００９１】
ステップＳ２８において、放送局サーバ６１は、ステップＳ２２で購入した全方位カメラ３１およびVTR３２の機器IDをHDCサーバ３５に送信し、HDCサーバ３５より、機器IDと対応付けて記憶されているメタデータおよび認証キーを取得する。
【００９２】
ステップＳ２９において、放送局サーバ６１は、金融サーバ１６にアクセスし、メタデータおよび認証キーを提供された見返りとして、カメラVTRメーカサーバ１１の口座に、所定の代金の振り込み処理を実行する。
【００９３】
ステップＳ３０において、放送局１３では、カメラVTRメーカ１１より購入した全方位カメラ３１−２を使用して、所定の撮影処理が実行され、撮影された映像および音声は、VTR３２−２により、所定の記録媒体に記録される。なお、この際、記録媒体には、撮影された映像および音声のデータとともに、全方位カメラ３１−２の機器IDおよびVTR３２−２の機器IDが記録される。
【００９４】
ステップＳ３１において、VTR３２−２は、ステップＳ３０で記録した映像および音声のデータ、並びに機器IDを送出装置６２に送信する。ステップＳ３２において、放送局サーバ６１は、ステップＳ２８で、HDCサーバ３５より取得したメタデータおよび認証キーを送出装置６２に送信する。
【００９５】
送出装置６２は、ステップＳ３３において、受信した映像および音声のデータ、メタデータ、並びに認証キーを多重化し、例えば人工衛星を介して、衛星放送により放送する。STB５２−２は、この衛星波を受信すると、放送データに含まれている認証キーと、STB５２−２に記録されている認証キーが同一であるか否かを判定し、同一である場合、放送データに含まれている映像データを、放送データに多重化されて送信されているメタデータにより補正する。そして、ステップＳ３４において、補正された映像データをテレビジョン受像機１４に出力し、表示させる。
【００９６】
以上のようにして、本発明のサービス提供装置においては、カメラの機種毎に、最適な映像の補正を行うことが可能となる。従って、ユーザは、より良い映像を視聴することが可能となる。
【００９７】
次に、図３は、全方位カメラ３１の外観の構成を示す図である。図３に示されるように、全方位カメラ３１は、所定の円周方向に、略等間隔に配列された８台のカメラ８１Ａ乃至８１Ｈと、各カメラ８１Ａ乃至８１Ｈ毎に、その視線方向に配設された８枚の平面鏡が８角錐上に配設された反射部８２とで構成される。なお、カメラ８１Ａ乃至８１Ｈは、その投影中心が全方位カメラ１０の中央付近で一致するように、且つ、カメラ８１Ａ乃至８１Ｈの視線方向が、同一の水平面上で所定の角度だけ、間隔を置くように配置されている。
【００９８】
各カメラ８１Ａ乃至８１Ｈが、それぞれ対応する平面鏡で反射された周囲の情景を撮影することにより、全方位カメラ３１全体としては、水平方向に３６０度映像の鏡像を撮影する。各カメラ８１Ａ乃至８１Ｈにより撮影された映像は、ビデオ・キャプチャ・カードをかいして、コンピュータ・データ（ビットマップ・ファイル）としてコンピュータ内に取り込むことにより、８本のカメラの映像を張り合わせて、１本の水平方向３６０度の全方位映像が生成される。
【００９９】
生成された全方位映像を、地上波放送、衛星放送、ケーブルテレビ放送、ハイビジョン放送などにより配信した場合、受信側のSTB５２−２は、受信した全方位映像の中から、ユーザ１５により指定された画角を切り出して、テレビジョン受像機１４に表示させる。このとき、カメラ８１Ａ乃至８１Ｈで撮影された映像の継ぎ目は、ユーザには識別できないようになっているため、ユーザは、全方位映像の中から、所望の画角をシームレスに視聴することが可能となる。
【０１００】
なお、ユーザが、３６０度の全方位映像の中で、所望の角度に映像をスライドさせる場合、映像が、あたかもユーザの周囲を回転しているように映像を表示させるために、STB５２において、所定の補正データにより、幾何学補正を施す必要がある。また、色補正を行う必要もある。上述した説明におけるメタデータとは、この幾何学補正、および色補正を行うためのデータのことである。メタデータにより、幾何学補正、および色補正を施すことにより、ユーザに、より自然に、周囲の情景を眺めているように感じさせることが可能となる。
【０１０１】
次に、図４は、全方位カメラ３１の内部の構成例を示すブロック図である。
【０１０２】
図４において、CPU２０１は、ROM２０２に記憶されているプログラム、または記憶部２１０からRAM２０３にロードされたプログラムに従って各種の処理を実行する。RAM２０３にはまた、CPU２０１が各種の処理を実行する上において必要なデータなども適宜記憶される。ROM２０２には、また、全方位カメラ３１の機器IDが記録されている。
【０１０３】
CPU２０１、ROM２０２、およびRAM２０３は、バス２０４を介して相互に接続されている。このバス２０４にはまた、入出力インターフェース２０５も接続されている。
【０１０４】
入出力インターフェース２０５には、ユーザからの操作の入力を受け付ける複数のボタンなどにより構成される操作部２０６、カメラ８１Ａ乃至８１Ｈにより構成される撮像部２０７、周囲の音声を集音するマイクロフォン２０８、撮像部２０７により撮影された映像データ、マイクロフォンにより集音された音声データを、外部（例えば、VTR３２）に出力する出力部２０９、およびハードディスクなどより構成される記憶部２１０が接続されている。
【０１０５】
入出力インターフェース１５にはまた、必要に応じてドライブ２１１が接続され、磁気ディスク２２１、光ディスク２２２、光磁気ディスク２２３、或いは半導体メモリ２２４などが適宜装着され、それらから読み出されたコンピュータプログラムが、必要に応じて記憶部２１０にインストールされる。
【０１０６】
次に、図５は、カメラVTRメーカサーバ３３の内部の構成例を示すブロック図である。図５において、CPU２５１は、ROM２５２に記憶されているプログラム、または記憶部２５９からRAM２５３にロードされたプログラムに従って各種の処理を実行する。RAM２５３にはまた、CPU２５１が各種の処理を実行する上において必要なデータなども適宜記憶される。
【０１０７】
CPU２５１、ROM２５２、およびRAM２５３は、バス２５４を介して相互に接続されている。このバス２５４にはまた、入出力インターフェース２５５も接続されている。
【０１０８】
入出力インターフェース２５５には、ユーザからの操作の入力を受け付ける複数のボタンなどにより構成される操作部２５６、音声を出力する音声出力部２５７、CRT（Cathode-Ray Tube）、LCD（Liquid Crystal Display）などよりなるディスプレイ２５８、ハードディスクなどより構成される記憶部２５９、および、モデム、ターミナルアダプタなどより構成される通信部２６０が接続されている。通信部２６０は、インターネットを含むネットワーク１０を介しての通信処理を行う。
【０１０９】
入出力インターフェース２５５にはまた、必要に応じてドライブ２６１が接続され、磁気ディスク２８１、光ディスク２８２、光磁気ディスク２８３、或いは半導体メモリ２８４などが適宜装着され、それらから読み出されたコンピュータプログラムが、必要に応じて記憶部２５９にインストールされる。
【０１１０】
図６は、ハードウェアデータセンタサーバ３５の構成例を表している。このハードウェアデータセンタサーバ３５を構成するCPU３０１乃至半導体メモリ３２４は、図５のカメラVTRメーカサーバ３３を構成するCPU２５１乃至半導体メモリ２８４と基本的に同様の構成とされ、対応する名称のものは、対応する機能を有する。従って、それらの説明は、繰り返しになるので省略する。
【０１１１】
また、図７は、STBメーカサーバ５１の構成例を表している。このSTBメーカサーバ５１のCPU３５１乃至半導体メモリ３７４も、図５のカメラVTRメーカサーバ３３を構成するCPU２５１乃至半導体メモリ２８４と基本的に同様の構成とされ、対応する名称のものは、対応する機能を有するので、その説明は、繰り返しになるので省略する。
【０１１２】
さらに、図８は、放送局サーバ６１の構成例を表している。この放送局サーバ６１のCPU４０１乃至半導体メモリ４２４も、図５のカメラVTRメーカサーバ３３を構成するCPU２５１乃至半導体メモリ２８４と基本的に同様の構成とされ、対応する名称のものは、対応する機能を有するので、その説明は、繰り返しになるので省略する。
【０１１３】
次に、図９は、VTR３２の構成例を表わしている。図９において、CPU４５１は、ROM４５２に記憶されているプログラム、または記憶部４６２からRAM４５３にロードされたプログラムに従って各種の処理を実行する。RAM４５３にはまた、CPU４５１が各種の処理を実行する上において必要なデータなども適宜記憶される。ROM４５２には、また、VTR３２の機器IDが記録されている。
【０１１４】
CPU４５１、ROM４５２、およびRAM４５３は、バス４５４を介して相互に接続されている。このバス４５４にはまた、入出力インターフェース４５５も接続されている。
【０１１５】
入出力インターフェース４５５には、ユーザからの操作の入力を受け付ける複数のボタンなどにより構成される操作部４５６、全方位カメラ３１より映像データ、および音声データを入力する入力部４５７、音声を出力する音声出力部４５８、CRT、LCDなどよりなるディスプレイ４５９、入力部４５７から入力された映像データおよび音声データを所定の記録媒体に記録するとともに、記録媒体から映像データおよび音声データを再生する記録再生部４６０、記録再生部４６０により再生された映像データおよび音声データなどを外部（例えば、送出装置６２）に出力する出力部４６１、およびハードディスクなどより構成される記憶部４６２が接続されている。記録再生部４６０は、映像データ、および音声データを記録媒体に記録する際に、全方位カメラ３１から受信した機器IDおよびVTR３２のROM４５２に記録された機器IDを、映像データ、および音声データとともに記録する。
【０１１６】
入出力インターフェース４５５にはまた、必要に応じてドライブ４６３が接続され、磁気ディスク４７１、光ディスク４７２、光磁気ディスク４７３、或いは半導体メモリ４７４などが適宜装着され、それらから読み出されたコンピュータプログラムが、必要に応じて記憶部４６２にインストールされる。
【０１１７】
次に、図１０は、STB５２の構成例を表わしている。図１０において、CPU５０１は、ROM５０２に記憶されているプログラム、または記憶部５１２からRAM５０３にロードされたプログラムに従って各種の処理を実行する。RAM５０３にはまた、CPU５０１が各種の処理を実行する上において必要なデータなども適宜記憶される。
【０１１８】
CPU５０１、ROM５０２、およびRAM５０３は、バス５０４を介して相互に接続されている。このバス５０４にはまた、入出力インターフェース５０５も接続されている。
【０１１９】
入出力インターフェース５０５には、ユーザからの操作の入力を受け付ける複数のボタンなどにより構成される操作部５０６、音声を出力する音声出力部５０７、LCDなどよりなり、STB５２の動作状態などを表示するディスプレイ５０８、放送受信部５１３、または補正部５１２から供給された映像データ、および音声データを、外部（例えば、テレビジョン受像機１４）に出力する出力部５０９、モデム、ターミナルアダプタなどより構成される通信部５１０、ハードディスクなどより構成される記憶部５１１、放送受信部５１３から映像データ、およびメタデータが供給された場合、メタデータにより映像データを補正する補正部５１２、並びに、アンテナ５１４を介して放送電波を受信する放送受信部５１３が接続されている。通信部５１０は、インターネットを含むネットワーク１０を介しての通信処理を行う。
【０１２０】
入出力インターフェース５０５にはまた、必要に応じてドライブ５１５が接続され、磁気ディスク５２１、光ディスク５２２、光磁気ディスク５２３、或いは半導体メモリ５２４などが適宜装着され、それらから読み出されたコンピュータプログラムが、必要に応じて記憶部５１１にインストールされる。
【０１２１】
次に、図１１は、送出装置６２の構成例を表わしている。図１１において、CPU５５１は、ROM５５２に記憶されているプログラム、または記憶部５６０からRAM５５３にロードされたプログラムに従って各種の処理を実行する。RAM５５３にはまた、CPU５５１が各種の処理を実行する上において必要なデータなども適宜記憶される。
【０１２２】
CPU５５１、ROM５５２、およびRAM５５３は、バス５５４を介して相互に接続されている。このバス５５４にはまた、入出力インターフェース５５５も接続されている。
【０１２３】
入出力インターフェース５５５には、全方位カメラ３１、またはVTR３２から出力された映像データ、および音声データを入力する入力部５５６、ユーザからの操作の入力を受け付ける複数のボタンなどにより構成される操作部５５７、音声を出力する音声出力部５５８、LCD、またはCRTなどよりなるディスプレイ５５９、ハードディスクなどより構成される記憶部５６０、モデム、ターミナルアダプタなどより構成される通信部５６１、入力部５５６から入力された映像データ、および音声データ、機器ID、メタデータ、並びに認証キーを、多重化して、放送用のデータを作成する多重化データ作成部５６２、および、多重化データ作成部５６２により作成された多重化データを衛星波として発信する放送発信部５６３が接続されている。通信部５６１は、インターネットを含むネットワーク１０を介しての通信処理を行う。
【０１２４】
入出力インターフェース５５５にはまた、必要に応じてドライブ５６４が接続され、磁気ディスク５７１、光ディスク５７２、光磁気ディスク５７３、或いは半導体メモリ５７４などが適宜装着され、それらから読み出されたコンピュータプログラムが、必要に応じて記憶部５６０にインストールされる。
【０１２５】
次に、図１２のフローチャートを参照して、機器IDの登録処理について説明する。
【０１２６】
ステップＳ１０１において、カメラVTRメーカサーバ３３のCPU２５１は、カメラVTRメーカ１１において製造された全方位カメラ３１−１、およびVTR３２−１に、それぞれ対応する機器IDを発行する。この機器IDは、全方位カメラ３１、またはVTR３２の機種、および製品の個々を識別するためのIDである。
【０１２７】
ステップＳ１０２において、カメラVTRメーカサーバ３３のCPU２５１は、製造された全方位カメラ３１−１のROM２０２、またはVTR３２−１のROM４５２に、ステップＳ１０１で発行した機器IDを記録する。
【０１２８】
ステップＳ１０３において、カメラVTRメーカサーバ３３のCPU２５１は、例えば、操作部２５６を介して全方位カメラ３１、またはVTR３２の製造者から、全方位カメラ３１、またはVTR３２のメタデータの入力を受け、メタデータを取得すると、ステップＳ１０４において、通信部２６０を介して、HDCサーバ３５に、ステップＳ１０１で発行した機器IDとステップＳ１０３で取得したメタデータを送信し、これらの機器IDとメタデータを対応付けて記憶するように要求する。
【０１２９】
HDCサーバ３５のCPU３０１は、ステップＳ１１１において、カメラVTRメーカサーバ３３より、機器IDとメタデータ、並びに、これらを対応付けて記憶するようにとの要求を、通信部３１０を介して受信すると、ステップＳ１１２において、機器IDおよびメタデータに対応する認証キーを発行する。そして、ステップＳ１１３において、HDCサーバ３５のCPU３０１は、ステップＳ１１１で受信した機器ID、およびメタデータ、並びにステップＳ１１２で発行した認証キーを対応付けて、記憶部３０９に記憶させる。
【０１３０】
以上のようにして、HDCサーバ３５の記憶部３０９には、機器ID、メタデータ、および認証キーの対応テーブルのデータベースが作成される。また、カメラVTRメーカ１１で製造された全方位カメラ３１、およびVTR３２には、機器IDが記録される。
【０１３１】
次に、図１３のフローチャートを参照して、認証キー取得処理について説明する。
【０１３２】
STBメーカサーバ５１のCPU３５１は、ステップＳ１４１において、通信部３６０を介して、HDCサーバ３５に対して、認証キーを送信するように要求する。HDCサーバ３５のCPU３０１は、ステップＳ１３１において、STBメーカサーバ５１より認証キーの送信要求を受信すると、ステップＳ１３２において、記憶部３０９に記憶している認証キーを読み出し、読み出した認証キーを、通信部３１０を介して、STBメーカサーバ５１に送信する。
【０１３３】
STBメーカサーバ５１のCPU３５１は、ステップＳ１４２において、HDCサーバ３５より認証キーを受信すると、それを記憶部３５９に記憶する。そして、ステップＳ１４３において、STBメーカサーバ５１のCPU３５１は、金融サーバ１６にアクセスし、カメラVTRメーカの口座に、認証キー提供代金として予め設定されている所定の額の代金の振込みを要求する。
【０１３４】
金融サーバ１６は、ステップＳ１５１において、STBメーカサーバ５１より、カメラVTRメーカの口座に、認証キー提供代金として予め設定されている所定の額の代金を振り込むようにとの要求を受信し、ステップＳ１５２において、カメラVTRメーカの口座に、認証キー提供代金として予め設定されている所定の額の代金を振り込む処理を実行する。
【０１３５】
以上で、認証キー取得処理が終了する。
【０１３６】
次に、図１４のフローチャートを参照して、認証キーの埋め込み処理について説明する。
【０１３７】
ステップＳ１７１において、STBメーカサーバ５１のCPU３５１は、STBメーカ１２で製造されたSTB５２−１の中に、認証キーが記録されていないSTB５２−１があるか否かを判定し、認証キーが記録されていないSTB５２−１がない場合、ステップＳ１７１の処理を繰り返す。ステップＳ１７１において、STBメーカサーバ５１のCPU３５１が、認証キーが記録されていないSTB５２−１があると判定した場合、ステップＳ１７２に進み、CPU３５１は、図１３のステップＳ１４２で受信および記憶した認証キーを、記憶部３５９より読み出し、STB５２−１のROM５０２に、読み出した認証キーを記録する。その後、処理はステップＳ１７１に戻り、ステップＳ１７１以降の処理が繰り返される。
【０１３８】
以上のようにして、STBメーカ１２で製造された全てのSTB５２−１に、認証キーが記録される。
【０１３９】
次に、図１５のフローチャートを参照して、メタデータ取得処理について説明する。
【０１４０】
ステップＳ２０１において、放送局サーバ６１のCPU４０１は、メタデータを取得するべき機器の機器IDを取得する。すなわち、放送する番組の製作者は、番組の製作に使用する全方位カメラ３１−２、およびVTR３２−２の機器IDを、例えば、放送局サーバ６１の操作部４０６を操作して、入力する。
【０１４１】
ステップＳ２０２において、放送局サーバ６１のCPU４０１は、HDCサーバ３５に対して、機器IDを送信するとともに、機器IDに対応するメタデータの送信を要求する。
【０１４２】
ステップＳ１９１において、HDCサーバ３５のCPU３０１は、放送局サーバ６１より、機器ID、および機器IDに対応するメタデータの送信要求を、通信部３１０を介して受信すると、ステップＳ１９２において、ステップＳ１９１で受信した機器IDに基づいて、機器IDと対応付けられて記憶部４０９に記憶されているメタデータ、および認証キーを読み出す。そして、ステップＳ１９３において、HDCサーバ３５のCPU３０１は、ステップＳ１９２で読み出したメタデータ、および認証キーを、通信部３１０を介して、放送局サーバ６１に送信する。
【０１４３】
ステップＳ２０３において、放送局サーバ６１のCPU４０１は、HDCサーバ３５より、メタデータ、および認証キーを、通信部４１０を介して受信し、記憶部４０９に記憶する。
【０１４４】
ステップＳ２０４において、放送局サーバ６１のCPU４０１は、金融サーバ１６に、カメラVTRメーカ１１の口座に、メタデータ提供代として予め設定されている所定の金額の代金の払込みを、通信部４１０を介して要求する。
【０１４５】
ステップＳ２１１において、金融サーバ１６は、放送局サーバ６１より、カメラVTRメーカ１１の口座に、メタデータ提供代として予め設定されている所定の金額の代金を払込むようにとの要求を受信し、ステップＳ２１２において、カメラVTRメーカ１１の口座に、メタデータ提供代として予め設定されている所定の金額の代金を払い込む。
【０１４６】
以上のようにして、メタデータ取得処理が終了する。
【０１４７】
次に、図１６のフローチャートを参照して、撮影記録処理について説明する。
【０１４８】
ステップＳ２５１において、全方位カメラ３１−２のCPU２０１は、撮像部２０７およびマイクロファン２０８を駆動して、映像データおよび音声データを取り込ませる。ステップＳ２５２において、全方位カメラ３１−２のCPU２０１は、ステップＳ２５１で取り込んだ映像データ、および音声データ、並びにROM４０２に記録されている全方位カメラ３１−２の機器IDを、出力部２０９から、VTR３２−２に出力する。
【０１４９】
VTR３２−２のCPU４５１は、ステップＳ２４１において、入力部４５７を介して、全方位カメラ３１−２より、映像データ、音声データ、および全方位カメラ３１−２の機器IDを入力され、ステップＳ２４２において、VTR３２−２のCPU４５１は、記録再生部４６０を駆動して、ステップＳ２４１で入力された映像データ、音声データ、および全方位カメラ３１−２の機器ID、並びに、ROM４５２に記録されているVTR３２−２の機器IDを、予めVTR３２−２に装着してある所定の記録媒体に記録する。
【０１５０】
以上のようにして、VTR３２−２に装着されている記録媒体には、映像データ、音声データ、全方位カメラ３１−２の機器ID、およびVTR３２−２の機器IDが記録される。
【０１５１】
次に、図１７のフローチャートを参照して、放送処理について説明する。
【０１５２】
ステップＳ３２１において、VTR３２−２のCPU４５１は、図１６のフローチャートに示される処理により所定の記録媒体に記録された映像データ、音声データ、全方位カメラ３１−２の機器ID、およびVTR３２−２の機器IDを、記録再生部４６０を駆動して、読み出し、出力部４６１より、送出装置６２に出力する。
【０１５３】
ステップＳ３１１において、送出装置６２のCPU５５１は、VTR３２−２より、映像データ、音声データ、全方位カメラ３１−２の機器ID、およびVTR３２−２の機器IDを、入力部５５６から入力され、記憶部５６０に記憶する。
【０１５４】
ステップＳ３１２において、送出装置６２のCPU５５１は、ステップＳ３１１で入力された全方位カメラ３１−２およびVTR３２−２の機器IDを、放送局サーバ６１に送信するとともに、機器IDに対応するメタデータを送信するように要求する。
【０１５５】
放送局サーバ６１のCPU４０１は、ステップＳ３０１において、送出装置６２より、全方位カメラ３１−２およびVTR３２−２の機器ID、並びに機器IDに対応するメタデータの送信要求を受信し、ステップＳ３０２において、記憶部４０９より、全方位カメラ３１−２およびVTR３２−２の機器IDに、それぞれ対応付けて記憶されているメタデータおよび認証キーを読み出す。ステップＳ３０３において、放送局サーバ６１のCPU４０１は、ステップＳ３０２で読み出したメタデータおよび認証キーを、通信部４１０を介して、送出装置６２に送信する。
【０１５６】
ステップＳ３１３において、送出装置６２のCPU５５１は、通信部５１を介して、放送局サーバ６１より、メタデータおよび認証キーを受信する。ステップＳ３１４において、送出装置６２のCPU５５１は、多重化データ作成部５６２に指令して、ステップＳ３１１で受信および記憶している映像データおよび音声データに、ステップＳ３１３で受信したメタデータおよび認証キーを多重化して、多重化データを作成させる。そして、CPU５５１は、作成された多重化データを、多重化データ作成部５６２から放送発信部５６３に供給させ、放送発信部５６３から、衛星波として放送させる。
【０１５７】
なお、以上の説明においては、全方位カメラ３１−２により撮影された映像は、一旦、VTR３２−２に記録されてから、送出装置６２に送信されるようになっているが、例えば、図１の全方位カメラ３１−３で撮影されている映像データを、VTR３２を介さずに、直接、送出装置６２に送信するようにすることも可能である。この場合、全方位カメラ３１−３で撮影された映像は、リアルタイムで、送出装置６２より放送される（所謂、生放送のこと）。
【０１５８】
以上のようにして、送出装置６２から、メタデータおよび認証キーが多重化された放送データが、放送される。このようにして放送された放送データはSTB５２−２により受信され、テレビジョン受像機１４を介して、ユーザ１５に視聴される。
【０１５９】
次に、図１８のフローチャートを参照して、STB５２−２の放送の視聴処理について説明する。
【０１６０】
ステップＳ３４１において、STB５２−２のCPU５０１は、アンテナ５１４および放送受信部５１３を介して、放送局１３が放送している番組の放送データを受信する。ステップＳ３４２において、STB５２−２のCPU５０１は、ステップＳ３４１で受信した放送データに多重化されている認証キーを読み出す。ステップＳ３４３において、STB５２−２のCPU５０１は、ROM５０２に記録されている認証キーを読み出し、ステップＳ３４４において、ステップＳ３４２で放送データより読み出された認証キーと、ステップＳ３４３でROM５０２から読み出された認証キーが同一であるか否かを判定し、同一である場合、ステップＳ３４５に進む。
【０１６１】
ステップＳ３４５において、STB５２−２のCPU５０１は、補正部５１２に指令して、放送データに含まれている映像データを、放送データに多重化されているメタデータにより補正させ、ステップＳ３４６において、ステップＳ３４５で補正された映像データ、および放送データに含まれている音声データを、出力部５０９を介して、テレビジョン受像機１４に出力する。テレビジョン受像機１４は、STB５２−２より供給された映像データをディスプレイに表示し、音声データを、スピーカより出力する。ユーザは、補正された映像が表示されているディスプレイを見ることが可能となる。
【０１６２】
ステップＳ３４４において、STB５２−２のCPU５０１が、ステップＳ３４２で放送データより読み出された認証キーと、ステップＳ３４３でROM５０２から読み出された認証キーが同一でないと判定した場合、処理はステップＳ３４７に進み、STB５２−２のCPU５０１は、ステップＳ３４１で受信された放送データに含まれている映像データ、および音声データを、出力部５０９から、テレビジョン受像機１４に出力させる。テレビジョン受像機１４は、STB５２−２から供給された映像データをディスプレイに表示し、音声データを、スピーカより出力する。ユーザは、この場合。補正されていない映像が表示されているディスプレイを見ることになる。
【０１６３】
以上のようにして、STB５２−２が認証キーを有している場合、放送データに含まれている映像データは、放送データに多重化されているメタデータにより補正され、テレビジョン受像機１４に表示される。
【０１６４】
次に、図１９は、本発明のサービス提供システムの、図１とは異なる構成を示している。なお、図１９において、図１と同一の組織、装置などについては、同一の符号を付してある。図１９においては、STB５２−２がネットワーク１０に接続されている。また、図１に示されていた放送局サーバ６１は、図１９においては不要となっている。
【０１６５】
図１９に示されるサービス提供システムの概略について、図２０を参照して説明する。
【０１６６】
図２０のステップＳ４０１において、カメラVTRメーカサーバ３３は、カメラVTRメーカ１１で製造された全方位カメラ３１−１およびVTR３２−１内の記録媒体に、機器IDを記録するとともに、メタデータを、例えば、全方位カメラ３１の製造者から入力され、これらの機器IDおよびメタデータを対応付けて記憶するように、HDCサーバ３５に要求する。HDCサーバ３５は、カメラVTRメーカサーバ３３からの要求に従って、受信した機器IDとメタデータを対応付けて記憶する。また、HDCサーバ３５は、認証キーを発行し、機器IDおよびメタデータと対応付けて記憶する。
【０１６７】
図２０のステップＳ４０２において、カメラVTRメーカ１１は、放送局１３に、所望する全方位カメラ３１およびVTR３２を納品する。ステップＳ４０３において、放送局１３は、カメラVTRメーカ１１に対して、全方位カメラ３１およびVTR３２の代金を支払う。
【０１６８】
ステップＳ４０４において、HDCサーバ３５は、STBメーカサーバ５１からの要求に従って、記憶している認証キーを送信する。STBメーカサーバ５１は、受信した認証キーを記憶するとともに、ステップＳ４０５において、金融サーバ１６にアクセスし、認証キーを提供された見返りとして、カメラVTRメーカサーバ１１の口座に、所定の代金の振り込み処理を実行する。
【０１６９】
そして、STBメーカサーバ５１は、STBメーカ１２で製造されるSTB５２−１内の所定の記録媒体に、取得した認証キーを記録する。
【０１７０】
STBメーカ１２は、ステップＳ４０６において、認証キーが記録されたSTB５２−１を、ユーザ１５に販売し、ユーザ１５は、ステップＳ４０７において、STB５２−１の代金をSTBメーカ１２に支払う。なお、STB５２は、実際には、任意の流通経路を経て、例えば、電化製品の販売店などで販売される。
【０１７１】
ステップＳ４０８において、放送局１３では、カメラVTRメーカ１１より購入した全方位カメラ３１−２を使用して、所定の撮影処理が実行され、撮影された映像および音声は、VTR３２−２により、所定の記録媒体に記録される。なお、この際、記録媒体には、撮影された映像および音声のデータとともに、全方位カメラ３１−２の機器IDおよびVTR３２−２の機器IDが記録される。
【０１７２】
ステップＳ４０９において、VTR３２−２は、ステップＳ４０８で記録した映像および音声のデータ、並びに機器IDを送出装置６２に送信する。
【０１７３】
送出装置６２は、ステップＳ４１０において、受信した映像および音声のデータ、および機器IDを多重化し、例えば人工衛星を介して、衛星放送により放送する。STB５２−２は、この放送電波を受信すると、ステップＳ４１１において、放送データに多重化されている機器IDをHDCサーバ３５に送信する。HDCサーバ３５は、受信した機器IDに対応するメタデータを読み出し、ステップＳ４１２において、読み出したメタデータを、STB５２−２に送信する。STB５２−２は、受信したメタデータにより、放送データに含まれている映像データを補正する。そして、ステップＳ４１３において、補正された映像データをテレビジョン受像機１４に出力し、表示させる。
【０１７４】
以上のようにして、本発明のサービス提供装置においても、図１に示されるサービス提供システムと同様、カメラの機種毎に、最適な映像の補正を行うことが可能となる。従って、ユーザは、より良い映像を視聴することが可能となる。
【０１７５】
なお、図１９に示されるサービス提供システムにおいても、図１２乃至図１４、および図１６のフローチャートを参照して説明した処理と同一の処理が実行される。すなわち、図１２のフローチャートに示される処理により、HDCサーバ３５に、機器ID、認証キー、およびメタデータが対応付けて記憶される。また、図１３のフローチャートに示される処理により、STBメーカサーバ５１は、認証キーを取得し、カメラVTRメーカ１１の口座に、認証キー代が振り込まれる。また、図１４のフローチャートに示される処理により、STBメーカ１２で製造されるSTB５２−１のROM５０２に、認証キーが記録される。また、図１６のフローチャートに示される処理により、VTR３２−２に装着されている所定の記録媒体に、全方位カメラ３１−２で撮影された映像データ、音声データ、および機器IDが記録される。
【０１７６】
次に、図２１のフローチャートを参照して、図１９のサービス提供システムにおける放送処理について説明する。
【０１７７】
ステップＳ４５１において、VTR３２のCPU４５１は、記録再生部４５０を駆動して、所定の記録媒体に記録されている映像データ、音声データ、および機器IDを読み出し、出力部４６１より、送出装置６２に出力する。
【０１７８】
ステップＳ４４１において、送出装置６２のCPU５５１は、入力部５５６を介して、VTR３２−２より映像データ、音声データ、および機器IDを入力されると、ステップＳ４４２において、多重化データ作成部５６２に指令して、ステップＳ４４１で入力された映像データ、音声データ、および機器IDを多重化させる。そして、CPU５５１は、多重化データ作成部５６２で作成された多重化データを、放送発信部５６３より放送電波としてさせる。
【０１７９】
その結果、映像データ、音声データ、および機器IDが多重化された放送データが、発信される。
【０１８０】
発信された放送データは、STB５２−２により受信され、テレビジョン受像機１４に表示され、ユーザ１５により視聴される。
【０１８１】
次に、図２２のフローチャートを参照して、視聴処理について説明する。
【０１８２】
ステップＳ４７１において、STB５２−２の放送受信部５１３が、アンテナ５１４を介して、放送電波を受信すると、ステップＳ４７２において、STB５２−２のCPU５０１は、受信した放送データを記憶部５１１に、一旦、記憶させる。ステップＳ４７３において、STB５２−２のCPU５０１は、記憶部５１１に記憶させた放送データより、全方位カメラ３１−２およびVTR３２−２の機器IDを読み出し、ステップＳ４７４において、STB５２−２のCPU５０１は、ROM５０２に記憶されているSTB５２−２の機器IDを読み出す。
【０１８３】
ステップＳ４７５において、STB５２−２のCPU５０１は、通信部５１０より、ネットワーク１０を介して、HDCサーバ３５に、認証キーおよび機器IDを送信し、機器IDに対応するメタデータを要求する。
【０１８４】
ステップＳ４９１において、HDCサーバ３５のCPU３０１は、通信部３１０を介して、STB５２−２より認証キーおよび機器ID、並びに、メタデータの送信要求を受信すると、ステップＳ４９２において、ステップＳ４９１で受信した認証キーが、予めHDCサーバ３５の記憶部３０９に記憶されている認証キーと同一であるか否かを判定し、同一である場合、認証キーを認証して、処理はステップＳ４９３に進む。なお、ステップＳ４９１で受信した認証キーが、予めHDCサーバ３５の記憶部３０９に記憶されている認証キーと同一でない場合、HDCサーバ３５のCPU３０１は、通信部３１０を介して、STB５２−２に、メタデータを送信不可能である旨の通知を送信する。
【０１８５】
ステップＳ４９３において、HDCサーバ３５のCPU３０１は、ステップＳ４９１で受信した機器IDに基づいて、記憶部３０９に記憶されている同一の機器IDを検索し、検出された機器IDと対応付けて記憶されているメタデータを記憶部３０９より読み出す。ステップＳ４９４において、HDCサーバ３５のCPU３０１は、通信部３１０より、ネットワーク１０を介して、STB５２−２に、ステップＳ４９３で読み出したメタデータを送信する。
【０１８６】
STB５２−２のCPU５０１は、ステップＳ４７６において、通信部５１０を介して、HDCサーバ３５より、メタデータを受信すると、ステップＳ４７７において、ステップＳ４７２で記憶部５１１に記憶させた放送データに含まれている映像データを、ステップＳ４７６で受信したメタデータにより補正する。ステップＳ４７８において、STB５２−２のCPU５０１は、ステップＳ４７７で補正された映像データ、および放送データに含まれている音声データを、出力部５０９よりテレビジョン受像機１４に出力し、表示させる。以上の処理により、ユーザは、テレビジョン受像機１４に表示される補正された映像を視聴することが可能となる。
【０１８７】
図２３は、本発明のサービス提供システムの、図１および図１９とは異なる例を示している。図２３においては、図１９に示されている送出装置６２がネットワーク１０に接続されている。送出装置６２は、ネットワーク１０を介して、番組などの放送データを、STB５２に供給する。STB５２は、アンテナ５１４、および放送受信部５１３ではなく、通信部５１０により、ネットワーク１０を介して配信されている番組放送を受信する。
【０１８８】
それ以外の構成は、図１９に示されるサービス提供システムと同一であるため、説明は省略する。
【０１８９】
ところで、本発明は、放送以外の分野にも適用することが可能である。次に、図２４を参照して、放送以外の分野に本発明のサービス提供システムを適用した場合の例について説明する。
【０１９０】
図２４において、カメラVTRメーカ１１内の構成は、図１、図１９、および図２３に示されているカメラVTRメーカ１１内の構成と同一である。また、ネットワーク１０には、図１、図１９、および図２３と同様に、金融サーバ１６が接続されている。
【０１９１】
また、図２４においては、映画やドラマ、その他のコンテンツを作成するコンテンツプロバイダ６０１のコンテンツプロバイダサーバ６２３が、ネットワーク１０に接続されている。さらに、コンテンツプロバイダ６０１で撮影された映像データを、所定のメタデータにより補正する事業を行っているオーサリングスタジオ６０２のオーサリングスタジオサーバ６４１が、ネットワーク１０に接続されている。
【０１９２】
コンテンツプロバイダ６０１には、コンテンツプロバイダサーバ６２３の他に、カメラVTRメーカ１１より購入した全方位カメラ３１−４およびVTR３２−３が備えられている。コンテンツプロバイダ６０１には、さらに、VTR３２−３に記録された映像データおよび音声データを編集する編集装置６２１、および、編集装置６２１で編集され、作品として完成されたデータ（以下、作品データとも称する）をDVD（Digital Versatile Disc）６２４−１に記録する記録装置６２２が備えられている。なお、図２４においては、記録装置６２２は、作品データをDVD６２４−１に記録する場合を例にして説明しているが、記録装置６２２が作品データを記録する記録媒体としては、DVD６２４以外の任意の記録メディアを利用することができる。
【０１９３】
オーサリングスタジオ６０２には、オーサリングスタジオサーバ６４１の他に、全方位カメラ３１などで撮影された映像データを、所定のメタデータにより補正するオーサリング装置６４２が備えられている。
【０１９４】
ユーザ１５は、コンテンツプロバイダ６０１で製作されたDVD６２４を購入し、保有するDVDプレイヤ６０３で、購入したDVD６２４−２を再生し、テレビジョン受像機１４に表示させて、これを視聴することができる。なお、図２４においては、DVDプレイヤ６０３を例にして説明しているが、本発明は、DVDプレイヤ６０３に限定されるものではなく、コンテンツプロバイダ６０１で作品データが記録された記録媒体の種類に応じた、任意の再生装置を用いることが可能である。
【０１９５】
次に、図２４に示されるサービス提供システムの概略について、図２５を参照して説明する。
【０１９６】
図２５のステップＳ５０１において、カメラVTRメーカサーバ３３は、カメラVTRメーカ１１で製造された全方位カメラ３１−１およびVTR３２−１内の記録媒体に、機器IDを記録するとともに、メタデータを、例えば、全方位カメラ３１の製造者から入力され、これらの機器IDおよびメタデータを対応付けて記憶するように、HDCサーバ３５に要求する。HDCサーバ３５は、カメラVTRメーカサーバ３３からの要求に従って、受信した機器IDとメタデータを対応付けて記憶する。また、HDCサーバ３５は、認証キーを発行し、機器IDおよびメタデータと対応付けて記憶する。
【０１９７】
図２５のステップＳ５０２において、カメラVTRメーカ１１は、コンテンツプロバイダ６０１に、全方位カメラ３１およびVTR３２を納品する。ステップＳ５０３において、コンテンツプロバイダ６０１からカメラVTRメーカ１１に対して、全方位カメラ３１およびVTR３２の代金を支払う。
【０１９８】
ステップＳ５０４において、コンテンツプロバイダ６０１では、カメラVTRメーカ１１より購入した全方位カメラ３１−４を使用して、所定の撮影処理が実行され、撮影された映像および音声は、VTR３２−３により、所定の記録媒体に記録される。なお、この際、記録媒体には、撮影された映像および音声のデータとともに、全方位カメラ３１−４の機器IDおよびVTR３２−３の機器IDが記録される。
【０１９９】
ステップＳ５０５において、VTR３２−３は、ステップＳ５０４で記録した映像データおよび音声データ、並びに機器IDを編集装置６２１に送信する。編集装置６２１は、VTR３２−３より受信した映像データおよび音声データ、並びに機器IDを内蔵するハードディスクに記憶する。ステップＳ５０６において、編集装置６２１は、コンテンツプロバイダサーバ６２３に対して、記憶した映像データ、および機器IDを送信する。コンテンツプロバイダサーバ６２３は、編集装置６２１より、映像データ、および機器IDを受信すると、ステップＳ５０７において、ネットワーク１０を介して、オーサリングスタジオサーバ６４１に、映像データ、および機器IDを送信する。
【０２００】
オーサリングスタジオサーバ６４１は、コンテンツプロバイダサーバ６２３より、映像データ、および機器IDを受信すると、ステップＳ５０８において、HDCサーバ３５より、機器IDに対応するメタデータを取得する。ステップＳ５０９において、オーサリングスタジオサーバ６４１は、金融サーバ１６にアクセスし、カメラVTRメーカ１１の口座に、メタデータ代として予め設定されている所定の代金を振り込む。
【０２０１】
ステップＳ５１０において、オーサリングスタジオサーバ６４１は、ステップＳ５０７で受信した映像データ、およびステップＳ５０８でHDCサーバより取得したメタデータを、オーサリング装置６４２に送信する。オーサリング装置６４２は、オーサリングスタジオサーバ６４１より、映像データ、およびメタデータを受信すると、メタデータにより、映像データを補正し、ステップＳ５１１において、オーサリングスタジオサーバ６４１に、補正済みの映像データを送信する。
【０２０２】
オーサリングスタジオサーバ６４１は、ステップＳ５１２において、オーサリング装置６４２から受信された、補正済みの映像データを、ネットワーク１０を介してコンテンツプロバイダサーバ６２３に送信する。
【０２０３】
コンテンツプロバイダサーバ６２３は、オーサリングスタジオサーバ６４１より、補正済みの映像データを受信すると、ステップＳ５１３において、金融サーバ１６にアクセスし、オーサリングスタジオ６０２の口座に、映像補正代として予め設定されている所定の代金を振り込む。そして、ステップＳ５１４において、コンテンツプロバイダサーバ６２３は、この補正済み映像データを、編集装置６２１に送信する。編集装置６２１は、コンテンツプロバイダサーバ６２３より受信した補正済み映像データに、さらに編集処理を施し、作品データを作成する。そして、ステップＳ５１５において、編集装置６２１は、完成した作品データを、記録装置６２２に送信する。記録装置６２２は、受信した作品データを、内蔵するハードディスクに記憶させた後、作品データを、複数のDVD６２４−１に記録する。作品データが記録されたDVD６２４−１は、所定のケースにパッケージされ、商品として、例えば、レコード店などで販売される。
【０２０４】
ステップＳ５１６において、ユーザ１５は、商品としてのDVD６２４を購入し、ステップＳ５１７において、代金を支払う。ユーザ１５により購入されたDVD６２４−２は、ステップＳ５１８において、DVDプレイヤ６０３により再生され、再生された映像はテレビジョン受像機１４のディスプレイに表示される。
【０２０５】
以上で、図２５の説明を終了する。
【０２０６】
次に、図２６は、コンテンツプロバイダサーバ６２３の構成例を表わしている。このコンテンツプロバイダサーバ６２３を構成するCPU６６１乃至半導体メモリ６８４は、図５のカメラVTRメーカサーバ３３を構成するCPU２５１乃至半導体メモリ２８４と基本的に同様の構成とされ、対応する名称のものは、対応する機能を有する。従って、それらの説明は、繰り返しになるので省略する。
【０２０７】
さらに、図２７は、オーサリングスタジオサーバ６４１の構成例を表している。このオーサリングスタジオサーバ６４１のCPU７０１乃至半導体メモリ７２４も、図５のカメラVTRメーカサーバ３３を構成するCPU２５１乃至半導体メモリ２８４と基本的に同様の構成とされ、対応する名称のものは、対応する機能を有するので、その説明は、繰り返しになるので省略する。
【０２０８】
次に、図２８は、オーサリング装置の構成例を表わしている。図２８において、CPU７５１は、ROM７５２に記憶されているプログラム、または記憶部７５９からRAM７５３にロードされたプログラムに従って各種の処理を実行する。RAM７５３にはまた、CPU７５１が各種の処理を実行する上において必要なデータなども適宜記憶される。
【０２０９】
CPU７５１、ROM７５２、およびRAM７５３は、バス７５４を介して相互に接続されている。このバス７５４にはまた、入出力インターフェース７５５も接続されている。
【０２１０】
入出力インターフェース７５５には、ユーザからの操作の入力を受け付ける複数のボタンなどにより構成される操作部７５６、音声を出力する音声出力部７５７、CRT、LCDなどよりなるディスプレイ７５８、ハードディスクなどより構成される記憶部７５９、映像データをメタデータにより補正する補正部７６０、および、モデム、ターミナルアダプタなどより構成される通信部７６１が接続されている。通信部７６１は、インターネットを含むネットワーク１０を介しての通信処理を行う。
【０２１１】
入出力インターフェース７５５にはまた、必要に応じてドライブ７６２が接続され、磁気ディスク７７１、光ディスク７７２、光磁気ディスク７７３、或いは半導体メモリ７７４などが適宜装着され、それらから読み出されたコンピュータプログラムが、必要に応じて記憶部７５９にインストールされる。
【０２１２】
次に、図２９乃至図３３のフローチャートを参照して、図２４のサービス提供システムにおける補正処理について説明する。なお、図２９はコンテンツプロバイダサーバ６２３の処理を、図３０は、オーサリングスタジオサーバ６４１の処理を、図３１は、HDCサーバ３５の処理を、図３２は、金融サーバ１６の処理を、図３３は、オーサリング装置６４２の処理を、それぞれ表わしている。
【０２１３】
図２９のステップＳ６０１において、コンテンツプロバイダサーバ６２３のCPU６６１は、通信部６７０を介して編集装置６２１より、補正前の映像データ、および機器IDを受信する。ステップＳ６０２において、コンテンツプロバイダサーバ６２３のCPU６６１は、通信部６７０より、ネットワーク１０を介して、オーサリングスタジオサーバ６４１に、ステップＳ６０１で受信した補正前の映像データおよび機器IDを送信し、映像データの補正を要求する。
【０２１４】
図３０のステップＳ６２１において、オーサリングスタジオサーバ６４１のCPU７０１は、ステップＳ６０２でコンテンツプロバイダサーバ６２３が、ネットワーク１０を介して送信した補正前の映像データおよび機器ID、並びに、映像データの補正要求を、通信部７１０により受信する。オーサリングスタジオサーバ６４１のCPU７０１は、受信した補正前の映像データおよび機器IDを、一旦、記憶部７０９に記憶させる。
【０２１５】
ステップＳ６２２において、オーサリングスタジオサーバ６４１のCPU７０１は、通信部７１０より、ネットワーク１０を介して、HDCサーバ３５に、ステップＳ６２１で受信した機器IDを送信し、機器IDに対応するメタデータを要求する。
【０２１６】
図３１のステップＳ６４１において、HDCサーバ３５のCPU３０１は、ステップＳ６２２でオーサリングスタジオサーバ６４１が、ネットワーク１０を介して、送信した機器ID、およびメタデータの送信要求を、通信部３１０を介して受信する。
【０２１７】
ステップＳ６４２において、HDCサーバ３５のCPU３０１は、ステップＳ６４１で受信した機器IDに基づいて、記憶部３０９に記憶されている同一の機器IDを検索し、検出された機器IDと対応付けて記憶部３０９に記憶されているメタデータを読み出す。
【０２１８】
ステップＳ６４３において、HDCサーバ３５のCPU３０１は、ステップＳ６４２で読み出されたメタデータを、通信部３１０より、ネットワーク１０を介して、オーサリングスタジオサーバ６４１に送信する。
【０２１９】
オーサリングスタジオサーバ６４１は、図３０のステップＳ６２３において、HDCサーバ３５が、ステップＳ６４３で、ネットワーク１０を介して送信したメタデータを、通信部７１０を介して受信すると、そのメタデータを、一旦、記憶部７０９に記憶させる。そして、ステップＳ６２４において、オーサリングスタジオサーバ６４１のCPU７０１は、通信部７１０より、ネットワーク１０を介して、金融サーバ１６にアクセスし、カメラVTRメーカ１１の口座に、メタデータ代として予め設定されている所定の代金を振り込むように要求する。
【０２２０】
金融サーバ１６は、図３２のステップＳ６５１において、オーサリングスタジオサーバ６４１がステップＳ６２４でネットワーク１０を介して送信した、カメラVTRメーカ１１の口座への、メタデータ代として予め設定されている所定の代金の振込み要求を受信し、ステップＳ６５２において、カメラVTRメーカ１１の口座に、メタデータ代として予め設定されている所定の代金を振り込む処理を実行する。なお、このとき、オーサリングスタジオ６０２の口座から、カメラVTRメーカ１１の口座に振り込まれたのと同額の代金が引き落とされる。
【０２２１】
図３０のステップＳ６２５において、オーサリングスタジオサーバ６４１のCPU７０１は、記憶部７０９より、補正前の映像データおよびメタデータを読み出し、これらのデータを、通信部７１０を介して、オーサリング装置６４２に送信する。
【０２２２】
オーサリング装置６４２のCPU７５１は、図３３のステップＳ６６１において、オーサリングスタジオサーバ６４１がステップＳ６２５で送信した補正前の映像データおよびメタデータを、通信部７６１を介して受信すると、ステップＳ６６２において、受信したデータを、補正部７６０に供給する。補正部７６０は、供給された補正前の映像データを、同じく供給されたメタデータを利用して補正する。
【０２２３】
映像データの補正が終了した後、ステップＳ６６３において、オーサリング装置６４２のCPU７５１は、補正部７６０において作成された補正済みの映像データを、通信部７６１より、オーサリングスタジオサーバ６４１に送信する。
【０２２４】
図３０のステップＳ６２６において、オーサリングスタジオサーバ６４１のCPU７０１は、ステップＳ６６３でオーサリング装置６４２から送信された補正済みの映像データを、通信部７１０を介して受信する。そして、ステップＳ６２７において、オーサリングスタジオサーバ６４１のCPU７０１は、ステップＳ６２６で受信した補正済みの映像データを、通信部７１０より、ネットワーク１０を介して、コンテンツプロバイダサーバ６２３に送信する。
【０２２５】
図２９のステップＳ６０３において、コンテンツプロバイダサーバ６２３のCPU６６１は、ステップＳ６２７でオーサリングスタジオサーバ６４１から送信された補正済みの映像データを、通信部６７０を介して受信する。
【０２２６】
ステップＳ６０４において、コンテンツプロバイダサーバ６２３のCPU６６１は、通信部６７０より、ネットワーク１０を介して、金融サーバ１６にアクセスし、オーサリングスタジオ６０２の口座に、映像補正代として予め設定されている所定の代金を振り込むように要求する。
【０２２７】
金融サーバ１６は、図３２のステップＳ６５３において、コンテンツプロバイダサーバ６２３がステップＳ６０４でネットワーク１０を介して送信した、オーサリングスタジオ６０２の口座への、映像補正代として予め設定されている所定の代金の振込み要求を受信し、ステップＳ６５４において、オーサリングスタジオ６０２の口座に、映像補正代として予め設定されている所定の代金を振り込む処理を実行する。なお、このとき、コンテンツプロバイダ６０１の口座から、オーサリングスタジオ６０２の口座に振り込まれたのと同額の代金が引き落とされる。
【０２２８】
図２９のステップＳ６０５において、コンテンツプロバイダサーバ６２３のCPU６６１は、ステップＳ６０３で受信した補正済みの映像データを、通信部６７０を介して、編集装置６２１に送信する。編集装置６２１は、コンテンツプロバイダサーバ６２３より受信した補正済みの映像データを、編集して、作品データを作成する。
【０２２９】
以上のようにして、図２４に示されるサービス提供システムの補正処理が実行される。
【０２３０】
ところで、図２４に示されるコンテンツプロバイダ６０１およびオーサリングスタジオ６０２は、１つの事業者(例えば放送局)に統合することも可能である。コンテンツプロバイダ６０１およびオーサリングスタジオ６０２を、１つの事業者として統合した場合のサービス提供システムの構成について、図３４を参照して説明する。図３４においては、図２４のオーサリングスタジオサーバ６４１が実行する処理の一部は、図３４のコンテンツプロバイダサーバ６２３により実行され、図２４のオーサリング装置６４２が実行する処理は、図３４の編集装置６２１により実行される。
【０２３１】
図３４のサービス提供システムの概要について、図３５を参照して説明する。
【０２３２】
図３５のステップＳ７０１において、カメラVTRメーカサーバ３３は、カメラVTRメーカ１１で製造された全方位カメラ３１−１およびVTR３２−１内の記録媒体に、機器IDを記録するとともに、メタデータを、例えば、全方位カメラ３１の製造者から入力され、これらの機器IDおよびメタデータを対応付けて記憶するように、HDCサーバ３５に要求する。HDCサーバ３５は、カメラVTRメーカサーバ３３からの要求に従って、受信した機器IDとメタデータを対応付けて記憶する。また、HDCサーバ３５は、認証キーを発行し、機器IDおよびメタデータと対応付けて記憶する。
【０２３３】
図２５のステップＳ７０２において、カメラVTRメーカ１１は、コンテンツプロバイダ６０１に、全方位カメラ３１およびVTR３２を納品する。ステップＳ７０３において、コンテンツプロバイダ６０１からカメラVTRメーカ１１に対して、全方位カメラ３１およびVTR３２の代金を支払う。
【０２３４】
ステップＳ７０４において、コンテンツプロバイダ６０１では、カメラVTRメーカ１１より購入した全方位カメラ３１−４を使用して、所定の撮影処理が実行され、撮影された映像および音声は、VTR３２−３により、所定の記録媒体に記録される。なお、この際、記録媒体には、撮影された映像および音声のデータとともに、全方位カメラ３１−４の機器IDおよびVTR３２−３の機器IDが記録される。
【０２３５】
ステップＳ７０５において、VTR３２−３は、ステップＳ７０４で記録した映像データおよび音声データ、並びに機器IDを編集装置６２１に送信する。編集装置６２１は、VTR３２−３より受信した映像データおよび音声データ、並びに機器IDを内蔵するハードディスクに記憶する。ステップＳ７０６において、編集装置６２１は、コンテンツプロバイダサーバ６２３に対して、機器IDを送信する。
【０２３６】
コンテンツプロバイダサーバ６２３は、編集装置６２１より、機器IDを受信すると、ステップＳ７０６において、ネットワーク１０を介して、HDCサーバ３５より、機器IDに対応するメタデータを取得する。ステップＳ７０７において、コンテンツプロバイダサーバ６２３は、金融サーバ１６にアクセスし、カメラVTRメーカ１１の口座に、メタデータ代として予め設定されている所定の代金を振り込む。
【０２３７】
ステップＳ７０８において、コンテンツプロバイダサーバ６２３は、ステップＳ７０６でHDCサーバ３５より取得したメタデータを、編集装置６２１に送信する。編集装置６２１は、コンテンツプロバイダサーバ６２３より、メタデータを受信すると、メタデータにより、映像データを補正する。そして、編集装置６２１は、補正済みの映像データを編集して作品データを作成し、完成した作品データを、記録装置６２２に送信する。記録装置６２２は、受信した作品データを、内蔵するハードディスクに記憶させた後、作品データを、複数のDVD６２４−１に記録する。作品データが記録されたDVD６２４−１は、所定のケースにパッケージされ、商品として、例えば、レコード店などで販売される。
【０２３８】
ステップＳ７１０において、ユーザ１５は、商品としてのDVD６２４を購入し、ステップＳ７１１において、代金を支払う。ユーザ１５により購入されたDVD６２４−２は、ステップＳ７１２において、DVDプレイヤ６０３により再生され、再生された映像はテレビジョン受像機１４のディスプレイに表示される。
【０２３９】
以上で、図３５の説明を終了する。本発明のサービス提供システムは、以上のように構成することも可能である。なお、コンテンツプロバイダ６０１は、DVDのような記録メディアに、作品データを記録してユーザに配布するのみではなく、例えば、放送したり、ネットワーク１０を介して、配信したりすることも可能である。
【０２４０】
以上、説明してきたように、本発明のサービス提供システムにおいては、全方位カメラ３１などの撮影機器に固有の特性に応じた、映像の補正を行うことができるようになる。従って、ユーザは、よりリアルな映像を視聴することが可能となる。
【０２４１】
また、本発明のサービス提供システムにおいては、全方位カメラ３１などの業務用機器の製造販売に際して、従来、機器自体の販売のみにより収益をあげていたのに対して、機器の販売後にも、メタデータや認証キーなどにより、収益をあげることが可能になる。
【０２４２】
なお、以上、本明細書における説明においては、全方位カメラ３１を例として説明したが、そのことは、本発明が、全方位カメラ３１への適用に限定されることを意味するものではない。すなわち、本発明は、全方位カメラ３１ではない、異なる任意の機種の撮影装置に適用することが可能である。
【０２４３】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ（例えばCPU２０１，２５１，３０１，３５１，４０１，４５１，５０１，５５１，６６１，７０１，７５１）、または、各種のプログラムをインストールすることで、各種の機能を実行することが可能な、例えば、汎用のパーソナルコンピュータなどに、プログラム格納媒体からインストールされる。
【０２４４】
コンピュータにインストールされ、コンピュータによって実行可能な状態とされるプログラムを格納するプログラム格納媒体は、例えば、磁気ディスク２２１，２８１，３２１，３７１，４２１，４７１，５２１，５７１，６８１，７２１，７７１（フレキシブルディスクを含む）、光ディスク２２２，２８２，３２２，３７２，４２２，４７２，５２２，５７２，６８２，７２２，７７２（CD-ROM（Compact Disk-Read Only Memory），DVDを含む）、光磁気ディスク２２３，２８３，３２３，３７３，４２３，４７３，５２３，５７３，６８３，７２３，７７３、もしくは半導体メモリ２２４，２８４，３２４，３７４，４２４，４７４，５２４，５７４，６８４，７２４，７７４などよりなるパッケージメディアなどにより構成される。プログラム格納媒体へのプログラム格納媒体へのプログラムの格納は、必要に応じてルータ、モデムなどのインターフェースを介して、ローカルエリアネットワーク、インターネット、デジタル衛星放送といった有線または無線の通信媒体を利用して行われる。
【０２４５】
また、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０２４６】
なお、本明細書において、システムとは、複数の装置により構成される装置全体を表すものである。
【０２４７】
【発明の効果】
以上のごとく、本発明によれば、映像を補正することが可能となる。
【０２４８】
また、本発明によれば、撮影機材に固有の特性に応じて、映像を補正することが可能となる。さらに、本発明によれば、業務用機器の製造販売に際して、従来、機器自体の販売のみにより収益をあげていたのに対して、機器の販売後にも、メタデータや認証キーなどにより、収益をあげることが可能になる。
【図面の簡単な説明】
【図１】本発明を適用したサービス提供システムの一実施の形態の構成を示す図である。
【図２】図１のサービス提供システムにより提供されるサービスの概要を説明する図である。
【図３】全方位カメラの外観の構成を示す図である。
【図４】全方位カメラの構成例を示すブロック図である。
【図５】カメラVTRメーカサーバの構成例を示すブロック図である。
【図６】ハードウェアデータセンタサーバの構成例を示すブロック図である。
【図７】セットトップボックスメーカサーバの構成例を示すブロック図である。
【図８】放送局サーバの構成例を示すブロック図である。
【図９】ビデオテープレコーダの構成例を示すブロック図である。
【図１０】セットトップボックスの構成例を示すブロック図である。
【図１１】送出装置の構成例を示すブロック図である。
【図１２】機器ID登録処理を説明するフローチャートである。
【図１３】認証キー取得処理を説明するフローチャートである。
【図１４】  STBメーカサーバの認証キー埋め込み処理を説明するフローチャートである。
【図１５】メタデータ取得処理を説明するフローチャートである。
【図１６】撮影記録処理を説明するフローチャートである。
【図１７】放送処理を説明するフローチャートである。
【図１８】  STBの視聴処理を説明するフローチャートである。
【図１９】本発明を適用したサービス提供システムの一実施の形態の構成を示す他の図である。
【図２０】図１９のサービス提供システムにより提供されるサービスの概要を説明する図である。
【図２１】放送処理を説明する他のフローチャートである。
【図２２】視聴処理を説明するフローチャートである。
【図２３】本発明を適用したサービス提供システムの一実施の形態の構成を示すさらに他の図である。
【図２４】本発明を適用したサービス提供システムの一実施の形態の構成を示す図である。
【図２５】図２４のサービス提供システムにより提供されるサービスの概要を説明する図である。
【図２６】コンテンツプロバイダサーバの構成例を示すブロック図である。
【図２７】オーサリングスタジオサーバの構成例を示すブロック図である。
【図２８】オーサリング装置の構成例を示すブロック図である。
【図２９】コンテンツプロバイダサーバの補正処理を説明するフローチャートである。
【図３０】オーサリングスタジオサーバの補正処理を説明するフローチャートである。
【図３１】  HDCサーバの補正処理を説明するフローチャートである。
【図３２】金融サーバの補正処理を説明するフローチャートである。
【図３３】オーサリング装置の補正処理を説明するフローチャートである。
【図３４】本発明を適用したサービス提供システムの一実施の形態の構成を示す他の図である。
【図３５】図３４のサービス提供システムにより提供されるサービスの概要を説明する図である。
【符号の説明】
１１  カメラVTRメーカ，  １２  STBメーカ，  １３  放送局，  １４  テレビジョン受像機，  １６  金融サーバ，  ３１  全方位カメラ，  ３２  VTR，３３  カメラVTRメーカサーバ，  ３５  ハードウェアデータセンタサーバ，５１  STBメーカサーバ，  ５２  STB，  ６１  放送局サーバ，  ６２  送出装置，  ３０１  CPU，  ３０２  ROM，  ３０３  RAM，  ３０４  バス，  ３０５  入出力インターフェース，  ３０６  操作部，  ３０７  音声出力部，  ３０８  ディスプレイ，  ３０９  記憶部，  ３１０  通信部，  ３１１  ドライブ，  ３２１  磁気ディスク，  ３２２  光ディスク，  ３２３  光磁気ディスク，  ３２４  半導体メモリ
【図１】
0004055201.tif 000002
【図２】
0004055201.tif 000003
【図３】
0004055201.tif 000004
【図４】
0004055201.tif 000005
【図５】
0004055201.tif 000006
【図６】
0004055201.tif 000007
【図７】
0004055201.tif 000008
【図８】
0004055201.tif 000009
【図９】
0004055201.tif 000010
【図１０】
0004055201.tif 000011
【図１１】
0004055201.tif 000012
【図１２】
0004055201.tif 000013
【図１３】
0004055201.tif 000014
【図１４】
0004055201.tif 000015
【図１５】
0004055201.tif 000016
【図１６】
0004055201.tif 000017
【図１７】
0004055201.tif 000018
【図１８】
0004055201.tif 000019
【図１９】
0004055201.tif 000020
【図２０】
0004055201.tif 000021
【図２１】
0004055201.tif 000022
【図２２】
0004055201.tif 000023
【図２３】
0004055201.tif 000024
【図２４】
0004055201.tif 000025
【図２５】
0004055201.tif 000026
【図２６】
0004055201.tif 000027
【図２７】
0004055201.tif 000028
【図２８】
0004055201.tif 000029
【図２９】
0004055201.tif 000030
【図３０】
0004055201.tif 000031
【図３１】
0004055201.tif 000032
【図３２】
0004055201.tif 000033
【図３３】
0004055201.tif 000034
【図３４】
0004055201.tif 000035
【図３５】
0004055201.tif 000036